(57)【特許請求の範囲】
【請求項１】
釣り糸を巻き取る電動リールであって、
リール本体と、
前記リール本体に回転自在に支持された糸巻き用のスプールと、
前記スプールを回転させるモータと、
前記リール本体に着脱自在に装着され、前記釣り糸を巻き取っているときに前記釣り糸に設けられたストッパが接触して前記釣り糸の巻き取りを停止させるストッパガイドと、
を備え、
前記リール本体は、前記釣り糸が挿通される釣竿の基端部が内周部に着脱可能に装着される筒状の釣竿装着部を、有し、
前記ストッパガイドは、前記釣竿装着部の外周部に着脱自在に装着される、
電動リール。
【請求項２】
前記ストッパガイドは、前記釣竿装着部の外周部に着脱自在に装着される第１装着部と、前記釣竿の外周部に着脱自在に装着される第２装着部とを、有している、
請求項１に記載の電動リール。
【請求項３】
前記ストッパガイドは、前記釣り糸が横方向に移動しながら通過可能かつ前記ストッパが接触して通過不能に横長に形成された接触孔部を有している、請求項１又は２に記載の電動リール。
【請求項４】
前記ストッパガイドは、金属製の線材部材により形成されている、
請求項１から３のいずれか１項に記載の電動リール。
【請求項５】
前記リール本体は、前記ストッパガイドを抜け止めする第１溝部を有している、
請求項１から４のいずれか１項に記載の電動リール。
【請求項６】
前記リール本体は、前記ストッパガイドを回り止めする第２溝部を有している、
請求項１から５のいずれか１項に記載の電動リール。
【請求項７】
前記スプールの回転数を検出するスプールカウンタと、
前記スプールカウンタにより検出された前記スプールの回転数に応じて、前記モータの駆動を停止する制御を行うモータ制御部と、
をさらに備えている請求項１から６のいずれか１項に記載の電動リール。
【請求項８】
前記モータに流れる電流値を検出する電流値検出手段、
をさらに備え、
前記モータ制御部は、前記スプールカウンタにより検出された前記スプールの回転数が予め設定された前記モータの駆動を停止させる前記スプールの回転数から所定の範囲内にあるとき、前記電流値検出手段により検出された前記モータに流れる電流に応じて、前記モータの駆動を停止する制御を行う、
請求項７に記載の電動リール。
【発明の詳細な説明】
【技術分野】
【０００１】
本発明は、電動リール、特に、釣り糸を巻き取る電動リールに関する。
【背景技術】
【０００２】
電動リールは、たとえば、氷結した湖上やドーム船上からワカサギ等の小魚を釣るときに使用される小型のものが知られている。この種の電動リールは、ティップと呼ばれる比較的短く弾力性のある釣竿が装着されるリール本体と、リール本体に配置され釣り糸を巻き取るスプールと、スプールを回転させるモータと、リール本体の側部に配置されモータの駆動をオン、オフするスイッチ操作部とを備えている。このような電動リールでは、スイッチ操作部をオン操作することによりモータを駆動してスプールを回転させることによって釣り糸を巻き取る。
【０００３】
また、このような電動リールに装着される釣竿には、釣り糸が挿通される複数のガイドリングが設けられており、釣り糸の先端に取り付けられた仕掛けはガイドリングを挿通可能である。このため、釣り糸を巻き上げているときに仕掛けをスプールに巻き込まないようにするために、釣り糸の巻き取りを停止させるストッパガイドを備えたものが知られている。このようなストッパガイドは、たとえば釣竿の先端に固定された小リングであって、釣り糸を巻き上げるときに釣り糸の所定位置に固定された中型リング（ストッパ）が中型リングより小径の小リング（ストッパガイド）に接触して釣り糸の巻き取りを停止させるようになっている（たとえば、特許文献１参照）。また、ストッパガイドは、たとえばリール本体の前端部に固定された釣糸ガイドやオートストッパーガイドであって、釣り糸を巻き上げるときに釣り糸に固定されたストッパやオートストッパー金具（ストッパ）が釣糸ガイドやオートストッパーガイド（ストッパガイド）に接触してモータの回転を停止させ、釣り糸の巻き取りを停止させるようになっている（たとえば、特許文献２、非特許文献１参照）。ここでは、釣り糸を巻き上げるときに釣り糸に固定されたストッパがストッパガイドに接触して釣り糸の巻き取りを停止させるようになっているので、釣り糸を巻き上げているときに仕掛けをスプールに巻き込まないようにすることができる。
【先行技術文献】
【特許文献】
【０００４】
【特許文献１】実開昭５４−７８６９４号公報
【特許文献２】特開２００９−２４０２７３号公報
【非特許文献】
【０００５】
【非特許文献１】インターネット＜ＵＲＬ：ｈｔｔｐ：／／ｗｗｗ．ｙｅｔｙ．ｊｐ／ｉｎｄｅｘ．ｈｔｍｌ＞
【発明の概要】
【発明が解決しようとする課題】
【０００６】
前記従来の電動リールは、釣り糸を巻き上げるときに釣り糸に固定されたストッパがストッパガイドに接触して釣り糸の巻き取りを停止させるようになっている。このため、従来の電動リールには、仕掛けの位置を表示するカウンタ機能や、所定の位置で自動的にモータの駆動を停止して釣り糸の巻き取りを停止させる船縁停止機能を備える必要がない。しかし、このような従来のストッパガイドを有する電動リールに船縁停止機能を搭載する場合には、所定の位置で自動的にモータの駆動を停止して釣り糸の巻き取りを停止させることができるので、従来のストッパガイドが不要になる。しかし、従来のストッパガイドを有する電動リールでは、ストッパガイドはリール本体の前端部に固定されているので、この電動リールに船縁停止機能を搭載すると、釣人によってはストッパガイドが邪魔に感じることがある。そこで、ストッパガイドを有していない電動リールに船縁停止機能を搭載することが考えられるが、船縁停止機能が正常に機能しない場合にはストッパガイドがないために仕掛けをスプールに巻き込んでしまうおそれがあり、釣人によってはストッパガイドがないことを不安に感じることがある。
【０００７】
本発明の課題は、電動リールにおいて、釣人のニーズに合わせたストッパガイドを提供できるようにすることにある。
【課題を解決するための手段】
【０００８】
発明１に係る電動リールは、釣り糸を巻き取る電動リールであって、リール本体と、スプールと、モータと、ストッパガイドとを備えている。スプールは、リール本体に回転自在に支持された糸巻き用のものである。モータは、スプールを回転させる。ストッパガイドは、リール本体に着脱自在に装着され、釣り糸を巻き取っているときに釣り糸に設けられたストッパが接触して釣り糸の巻き取りを停止させる。
【０００９】
ここで、リール本体は、釣り糸が挿通される釣竿の基端部が内周部に着脱可能に装着される筒状の釣竿装着部を、有している。ストッパガイドは、釣竿装着部の外周部に着脱自在に装着される。
【００１０】
この電動リールでは、釣り糸を巻き取っているときに釣り糸に設けられたストッパがストッパガイドに接触して釣り糸の巻き取りを停止させる。ここでは、ストッパガイドは、リール本体に対して着脱自在に装着されているので、従来のようにストッパガイドが釣竿やリール本体に固定されていないために、ストッパガイドが邪魔に感じる釣人はストッパガイドを取り外すことができ、あるいは、ストッパガイドがないことを不安に感じる釣人はストッパガイドを装着することができるので、釣人のニーズに合わせたストッパガイドを提供することができる。
【００１１】
また、リール本体は、釣り糸が挿通される釣竿の基端部が内周部に着脱可能に装着される筒状の釣竿装着部を、有している。ストッパガイドは、釣竿装着部の外周部に着脱自在に装着される。これにより、たとえば釣竿を釣竿装着部に装着するときに、ストッパガイドを竿装着部の外周部に着脱自在に装着できる。
【００１２】
発明２に係る電動リールは、発明１の電動リールにおいて、ストッパガイドは、釣竿装着部の外周部に着脱自在に装着される第１装着部と、釣竿の外周部に着脱自在に装着される第２装着部とを有している。この場合、ストッパガイドの第１装着部及び第２装着部が釣竿装着部及び釣竿に装着されるので、ストッパガイドを安定した状態で装着できる。
【００１３】
発明３に係る電動リールは、発明１又は２の電動リールにおいて、ストッパガイドは、釣り糸が横方向に移動しながら通過可能かつストッパが接触して通過不能に横長に形成された接触孔部を有している。この場合、横長の接触孔部に釣り糸が横方向（スプール左右方向）に移動しながら通過するので、釣り糸をスプールに均等に巻きつけることができる。
【００１４】
発明４に係る電動リールは、発明１から３のいずれかの電動リールにおいて、ストッパガイドは、金属製の線材部材により形成されている。この場合、ストッパガイドを安価かつ容易に加工できる。
【００１５】
発明５に係る電動リールは、発明１から４のいずれかの電動リールにおいて、リール本体は、ストッパガイドを抜け止めする第１溝部を有している。この場合、たとえばリール本体にストッパガイド離反方向（釣竿先端側の前方向）にストッパガイドを移動規制可能な第１溝部を形成することによって、ストッパガイドを抜け止めできる。
【００１６】
発明６に係る電動リールは、発明１から５のいずれかの電動リールにおいて、リール本体は、ストッパガイドを回り止めする第２溝部を有している。この場合、たとえばリール本体にストッパガイド回転方向（リール本体側部側の左右方向）にストッパガイドを移動規制可能な第２溝部を形成することによって、ストッパガイドを回り止めできる。
【００１７】
発明７に係る電動リールは、発明１から６のいずれかの電動リールにおいて、スプールカウンタと、モータ制御部とをさらに備えている。スプールカウンタは、スプールの回転数を検出する。モータ制御部は、スプールカウンタにより検出されたスプールの回転数に応じて、モータの駆動を停止する制御を行う。この場合、スプールカウンタによりスプールの回転数を検出し仕掛けの位置を算出するカウンタ機能と、スプールの回転数に応じた所定の位置でモータ制御部が自動的にモータの駆動を停止して釣り糸の巻き取りを停止させる船縁停止機能とを有している。ここでは、船縁停止機能を搭載した電動リールにおいて、ストッパガイドがリール本体に対して着脱自在に装着されているので、本発明の効果が顕著になる。
【００１８】
発明８に係る電動リールは、発明７の電動リールにおいて、モータに流れる電流値を検出する電流値検出手段をさらに備えている。モータ制御部は、スプールカウンタにより検出されたスプールの回転数が予め設定されたモータの駆動を停止させるスプールの回転数から所定の範囲内にあるとき、電流値検出手段により検出されたモータに流れる電流に応じて、モータの駆動を停止する制御を行う。この場合、予め設定された船縁停止位置の所定の範囲内にあるとき、たとえばモータに大きな電流が流れたとき、すなわち、モータに大きな負荷が生じたときにモータの駆動を停止させることができるので、ストッパがストッパガイドに強く引き込まれてストッパ及びストッパガイドが破損するのを防止できる。
【発明の効果】
【００１９】
本発明によれば、電動リールにおいて、ストッパガイドは、リール本体に着脱自在に装着されているので、釣人のニーズに合わせたストッパガイドを提供できる。
【図面の簡単な説明】
【００２０】
【図１】本発明の一実施形態を採用した電動リールの平面図。
【図２】前記電動リールの右側面図。
【図３】前記電動リールを前方から見たときの斜視図。
【図４】リール本体にストッパガイドを装着したときの拡大斜視図。
【図５】前記ストッパガイドの拡大斜視図。
【図６】前記リール本体の前記ストッパガイド装着部の拡大斜視図。
【図７】前記リール本体のスプールを取り外したときの拡大斜視図。
【図８】第１スイッチ操作部が寸動スイッチモードであるときの表示部の拡大平面図。
【図９】第２スイッチ操作部が寸動スイッチモードであるときの前記表示部の拡大平面図。
【図１０】前記電動リールの制御ブロック図。
【図１１】前記スプールの分解斜視図。
【図１２】前記スプールの釣糸係止部装着部の拡大断面図。
【図１３】前記スプールのつまみ部材の拡大断面図。
【図１４】モータ及びモータケースの拡大斜視図。
【図１５】前記モータ及び前記モータケース取付部分の拡大斜視図。
【図１６】仕掛けを降ろしているときの前記電動リールに釣竿を装着したときの右側面図。
【図１７】前記仕掛けを巻き上げたときの前記電動リールに前記釣竿を装着したときの右側面図。
【発明を実施するための形態】
【００２１】
本発明の一実施形態が採用された電動リールは、図１から図３に示すように、たとえば、氷結した湖上やドーム船上からワカサギ等の小魚を釣るときに使用される小型の電動リールである。この電動リールは、ティップと呼ばれる比較的短く弾力性のある釣竿Ｒが前部に装着されるリール本体１と、リール本体１の右上前部に配置され釣り糸Ｌを巻き取るスプール２と、リール本体１の内部に配置されスプール２を回転させるモータ３（図１０及び図１４参照）と、リール本体１の右側部及び左側部に配置されモータ３の駆動をオン、オフする第１スイッチ操作部４及び第２スイッチ操作部５と、リール本体１の上面に配置され各種の情報を表示する表示部６と、リール本体１の上面の表示部６の後部に配置されスイッチモード等の切り換え設定を行う第３スイッチ操作部７及び第４スイッチ操作部８と、リール本体１の上面の表示部６の前部に配置されモータ３のスプール２への回転伝達をオン、オフするクラッチ操作部９とを備えている。また、リール本体１の前部には、釣竿Ｒが装着される筒状に突出した釣竿装着部１ａが形成されており、釣竿装着部１ａ及び釣竿Ｒの基端部外周には、釣り糸Ｌに設けられたストッパＳ（図１７参照）が接触して釣り糸Ｌの巻き取りを停止させるストッパガイド１０が着脱自在に装着されている。このような電動リールでは、第１スイッチ操作部４及び第２スイッチ操作部５をオン操作することによりモータ３を駆動してスプール２を回転させることによって釣り糸Ｌを巻き取る。なお、この電動リールでは、釣り糸Ｌの巻き取りはモータ３の駆動のみによってスプール２を回転させることによって行われ、スプール２を手動で回転させるハンドル等を備えていない。
【００２２】
リール本体１は、図１から図３に示すように、全体を片手で把持可能な大きさとなるように形成され、合成樹脂製の複数のケース部材を組み立てることによって形成された内部に収納空間を有する前後に長い筐状部材である。リール本体１は、図１から図３に示すように、右下前部から前方に突出し釣竿Ｒが装着される円筒状の釣竿装着部１ａと、右上前部が他の部分より凹んで形成されスプール２が配置されるスプール収納凹部１ｂとを有している。釣竿装着部１ａは、図４及び図６に拡大して示すように、リール本体１のスプール収納凹部１ｂの下部から前方に突出する円筒状の部分であって、内周部に釣竿Ｒが装着固定され、外周部に釣り糸Ｌを巻き取っているときに釣り糸Ｌに設けられたストッパＳ（図１７参照）が接触して釣り糸Ｌの巻き取りを停止させるストッパガイド１０が着脱自在に装着されている。
【００２３】
ストッパガイド１０は、図４及び図５に示すように、金属製の線材部材を折り曲げて形成された部材である。ストッパガイド１０は、図５に示すように、釣り糸Ｌが横方向に移動しながら通過可能かつストッパＳが接触して通過不能に横長に形成された接触孔部１０ａと、接触孔部１０ａの下部中央から下方に延びる第１連結部１０ｂと、接触孔部１０ａの下部中央から斜め前下方に延びる第２連結部１０ｃと、第１連結部１０ｂの下部に円環状に形成され釣竿装着部１ａの外周部に着脱自在に装着される第１装着部１０ｄと、第２連結部１０ｃの下部に円環状に形成され釣竿Ｒの基端側外周部に着脱自在に装着される第２装着部１０ｅとを有している。接触孔部１０ａ、第１連結部１０ｂ、第２連結部１０ｃ、第１装着部１０ｄ及び第２装着部１０ｅは、１本の金属製の線材部材を折り曲げて一体成形されている。接触孔部１０ａは、図４に示すように、スプール２の糸巻き部分と同程度の横幅となるように横長に形成された楕円形の孔部であって、釣り糸Ｌが横方向に移動しながら通過可能である。また、接触孔部１０ａは、図１７に示すように、上下幅がストッパＳの直径より小さくなるように形成されており、このため、ストッパＳが接触孔部１０ａに接触して接触孔部１０ａを通過することがない。また、第１装着部１０ｄは、図２から図４に示すように、大径の釣竿装着部１ａの外周部に装着され、第２装着部１０ｅは、小径の釣竿Ｒの基端部外周に装着されており、第１装着部１０ｄの直径は、第２装着部１０ｅの直径より大きくなるように形成されている。また、釣竿装着部１ａの下部には、図６に示すように、下方に膨出し膨出部１ｃが形成されており、膨出部１ｃの外周部には、釣竿装着部１ａの外周部に沿った円弧状の第１溝部１ｄが形成されている。この第１溝部１ｄには、ストッパガイド１０の第１装着部１０ｄの下部が装着されており、これにより、ストッパガイド１０が前後方向に移動するのが規制され、ストッパガイド１０が抜け止めされる。さらに、釣竿装着部１ａの上方には、図６に示すように、リール本体１の前部から前方に突出した第１突出部１ｅ及び第２突出部１ｆが形成されており、第１突出部１ｅと第２突出部１ｆとの間には、ストッパガイド１０の第１連結部１０ｂの下部が挿通可能な第２溝部１ｇが形成されている。ここでは、図４に示すように、第２溝部１ｇにストッパガイド１０の第１連結部１０ｂが挿通されているので、ストッパガイド１０が左右方向に移動するのが規制され、ストッパガイド１０が所定の位置に回り止めされる。
【００２４】
このようなストッパガイド１０を電動リール及び釣竿Ｒを取り付けるには、まず、図６に示すように、釣竿装着部１ａから釣竿Ｒを取り外した状態で、釣竿装着部１ａの外周部にストッパガイド１０の第１装着部１０ｄを装着する。このとき、図４に示すように、ストッパガイド１０の第１連結部１０ｂが第１突出部１ｅと第２突出部１ｆとの間の第２溝部１ｇに挿通されるように位置決めして、ストッパガイド１０の第１装着部１０ｄを膨出部１ｃの第１溝部１ｄに押し込んで装着する。そして、第１溝部１ｄに第１装着部１０ｄが装着された状態で、釣竿Ｒの基端部をストッパガイド１０の第２装着部１０ｅを挿通させてから釣竿装着部１ａに釣竿Ｒを挿入固定する。ストッパガイド１０を電動リール及び釣竿Ｒから取り外すには、取付作業と逆の手順を行えばよい。
【００２５】
次に、図１６に示すように、電動リール及び釣竿Ｒにストッパガイド１０を取り付けた状態で、スプール２に巻き付けられた釣り糸Ｌをストッパガイド１０の接触孔部１０ａを後ろから前方に挿通した後、釣り糸Ｌの先端側からストッパＳを挿通する。ストッパＳは、中央部に釣り糸Ｌの直径よりやや大径の釣糸挿通孔が形成された略球状のビーズであって、ストッパガイド１０の接触孔部１０ａの孔部より大径の部材である。このため、ストッパＳが接触孔部１０ａに接触して接触孔部１０ａを通過することがない。また、ストッパＳは、釣竿Ｒの外周部に取り付けられた最も後側のガイドリングＧの孔部より大径の部材である。このためストッパＳが最も後側のガイドリングＧに接触して最も後側のガイドリングＧを通過することがない。したがって、ストッパＳは、ストッパガイド１０と最も後側のガイドリングＧとの間を前後に移動可能である。そして、釣り糸Ｌの先端を釣竿Ｒの外周部に取り付けられた複数のガイドリングＧを挿通し、釣り糸Ｌの先端に仕掛けＨが取り付けられた道糸Ｍを取り付ける。釣り糸Ｌと道糸Ｍとの間には、結び目Ｋが形成されており、結び目ＫはストッパＳの釣糸挿通孔を挿通不能であるが、結び目Ｋは複数のガイドリングＧを挿通可能である。
【００２６】
この状態で釣り糸を巻き上げていくと、結び目Ｋが最も後側のガイドリングＧを挿通し、結び目ＫがストッパＳに接触する。さらに、釣り糸を巻き上げていくと、結び目ＫがストッパＳをストッパガイド１０の接触孔部１０ａに向かって押して、図１７に示すように、ストッパＳがストッパガイド１０の接触孔部１０ａに接触することによって釣り糸Ｌの巻き取りが停止される。このとき、仕掛けＨは釣竿Ｒの先端の手前で停止するので、仕掛けＨが最も前側のガイドリングＧに巻き込まれることがなくなる。したがって、このようなストッパガイド１０を設けることによって、仕掛けＨをスプール２に巻き込んでしまうことを防止できる。
【００２７】
スプール２は、図１から図３に示すように、リール本体１の右上前部が他の部分より凹んで形成されたスプール収納凹部１ｂの側部に装着されたスプール軸１１（図７参照）に回転可能に支持され、全体がスプール収納凹部１ｂ内に配置されている。また、スプール収納凹部１ｂのスプール２の下部には、図３、図４及び図７に示すように、スプール２からスプール収納凹部１ｂの側部側に釣り糸Ｌが糸落ちし釣り糸Ｌがスプール軸１１に絡みつくのを防止するために、スプール２の外形と対向するように立設された複数の柱状のリブからなる壁部１ｈが形成されている。壁部１ｈは、スプール収納凹部１ｂの側部側底部に立設された複数の柱状のリブを連続的に配置して階段状に形成したものであって、スプール２の下部外周全体を覆うように配置されているので、スプール２に巻かれた釣り糸Ｌが壁部１ｈによってスプール収納凹部１ｂの側部側に糸落ちするのを防止できる。さらに、ここでは、複数の柱状のリブで壁部１ｈを構成しているので、壁部１ｈの肉厚が厚肉化し樹脂成型時のヒケ等による壁部１ｈの変形によって、壁部１ｈとスプール２との位置寸法が不安定になるのを防止できる。
【００２８】
スプール２は、図１１及び図１２に示すように、外周に釣り糸Ｌが巻き付けられる筒状の糸巻胴部２ａと、糸巻胴部２ａの一端に径方向外方に突出して設けられた第１フランジ部２ｂと、糸巻胴部２ａの他端に径方向外方に突出して設けられた第２フランジ部２ｃと、糸巻胴部２ａの内周部を貫通しスプール軸１１が挿通される貫通孔２ｅと、第１フランジ部２ｂの径方向に沿って外周部と貫通孔２ｅとを連通するように形成され釣糸係止部２０が装着される装着溝２ｄとを有している。糸巻胴部２ａは、スプール軸１１よりやや大径の筒状部材である。第１フランジ部２ｂのスプール収納凹部１ｂの側部対向面には、図１１に示すように、２つのマグネット２６が接着固定されている。２つのマグネット２６は、リール本体１の内部に装着された図示しないリードスイッチと対向する位置に配置され、スプール２の回転数を検出するためのものである。貫通孔２ｅには、図１１及び図１２に示すように、釣糸係止部２０の基端部２０ｂを貫通孔２ｅに係止した後に、第１フランジ部２ｂ側の開口から第１軸受部材２１が圧入固定され、第２フランジ部２ｃ側の開口からカラー部材２３が装着された後に、第２フランジ部２ｃ側の開口から第２軸受部材２２が圧入固定されている。第１軸受部材２１及び第２軸受部材２２は、玉軸受であって、外周部が貫通孔２ｅに圧入固定され、内周部がスプール軸１１に固定されている。カラー部材２３は、第１軸受部材２１と第２軸受部材２２との間に配置されるスペーサであって、内周部にスプール軸１１が挿通される筒状部材である。スプール軸１１の先端部には、ナット部材２４がねじ込まれ、Ｏリング２５によって緩み止めされている。ナット部材２４は、図１３に拡大して示すように、スプール軸１１の先端部外周に形成されたねじ部１１ａが螺合するねじ孔２４ａと、ねじ孔２４ａの開口側にねじ孔２４ａより大径に形成され内周部にＯリング２５が圧縮された状態で装着される貫通孔２４ｂと、貫通孔２４ｂの開口側内周部が内側にやや突出した内フランジ部２４ｃとを有している。内フランジ部２４ｃとスプール軸１１との間の隙間は、Ｏリング２５の直径よりやや小さくなるように形成されており、このため、Ｏリング２５を貫通孔２４ｂの内周部に係止した状態でスプール軸１１が挿通される。
【００２９】
釣糸係止部２０は、図１から図３、図１１及び図１２に示すように、基端部２０ｂがスプール２の貫通孔２ｅに係止され、先端部２０ｃがスプール２の第１フランジ部２ｂの外周部に露出して配置され、先端部２０ｃとスプール２の第１フランジ部２ｂの外周部との間で釣り糸Ｌを挟持可能な金属製の線材部材である。釣糸係止部２０は、図２、図３及び図１１に示すように、１本の線材部材を折り曲げて２本の線材形状となるように形成されており、同一形状のものを３つ備えており、３つの釣糸係止部２０が等間隔に配置された３箇所の装着溝２ｄに装着されている。釣糸係止部２０は、図１２に示すように、装着溝２ｄに装着される本体部２０ａと、本体部２０ａの基端側に一体成形された基端部２０ｂと、本体部２０ａの先端側に一体成形された先端部２０ｃとを有している。本体部２０ａは、装着溝２ｄに装着される直線状の部分であって、装着溝２ｄに接着固定される。基端部２０ｂは、第１フランジ部２ｂの装着溝２ｄから貫通孔２ｅの一部が釣糸係止部２０の厚み程度凹んで形成された凹み部２ｆに沿って折り曲げられており、これによって、釣糸係止部２０の基端部２０ｂは、貫通孔２ｅに係止される。先端部２０ｃは、第１フランジ部２ｂの装着溝２ｄから第１フランジ部２ｂの外縁部に沿って折れ曲がるように形成されている。先端部２０ｃと第１フランジ部２ｂの外周部との間には僅かな隙間が生成されており、この隙間に釣り糸Ｌを挟持可能である。
【００３０】
このようなスプール２及び釣糸係止部２０を組み立てるには、まず、１本の線材部材を折り曲げて２本の線材形状となるように形成し、先端部２０ｃを第１フランジ部２ｂの装着溝２ｄから第１フランジ部２ｂの外縁部に沿う形状になるように折り曲げ、基端部２０ｂを第１フランジ部２ｂの装着溝２ｄから貫通孔２ｅの凹み部２ｆに沿う形状になるように予め折り曲げた釣糸係止部２０を用意する。この状態で、図１２に示すように、釣糸係止部２０の基端部２０ｂ及び本体部２０ａを第１フランジ部２ｂの装着溝２ｄに装着し、釣糸係止部２０の基端部２０ｂを貫通孔２ｅに係止する。次に、第１フランジ部２ｂの装着溝２ｄに装着された釣糸係止部２０の本体部２０ａを接着剤により固定する。そして、第１フランジ部２ｂ側の開口から第１軸受部材２１を貫通孔２ｅに圧入固定し、第２フランジ部２ｃ側の開口からカラー部材２３を装着した後に、第２フランジ部２ｃ側の開口から第２軸受部材２２を貫通孔２ｅに圧入固定する。次に、スプール軸１１を第２軸受部材２２、カラー部材２３、第１軸受部材２１の順に挿通させ、スプール軸１１の先端部のねじ部１１ａにＯリング２５を貫通孔２４ｂの内周部に係止した状態のナット部材２４のねじ孔２４ａを螺合することによって、スプール２はスプール軸１１に回転可能に支持される。
【００３１】
モータ３は、リール本体１の内部に配置され、モータ３の回転をスプール軸１１に伝達することによって、スプール２を回転させる。この回転伝達機構内には、図示しないクラッチ機構を有しており、クラッチ操作部９（図１参照）のオン、オフ操作によって、回転伝達がオン、オフされる。モータ３は、図１４に示すように、鋼板により形成されたモータホルダ４０に装着されており、モータホルダ４０に装着されたモータ３をモータホルダ４０ごとスプール軸１１に接触、離反させることによって、クラッチのオン、オフを行っている。このようなモータホルダ４０にモータ３を取り付けるには、図１５に拡大して示すように、モータ３に予め形成されている係合溝３ａにモータホルダ４０の係合突起４０ａを折り曲げて係合させることによって固定している。ここでは、モータ３に予め形成されている係合溝３ａを用いることにより、モータホルダ４０にモータ３を取り付けるためにモータ３を加工する必要がなくなる。また、モータ３に予め形成されている凹部や溝部は、モータホルダ４０にモータ３を取り付ける前に、シリコンボンドが塗布したり、あるいは、テープを貼付することによって塞がれており、これにより、モータ３を防水することができる。
【００３２】
第１スイッチ操作部４は、図１から図３に示すように、リール本体１の右側部に配置され、モータ３の駆動をオン、オフするスイッチである。第２スイッチ操作部５は、図１に示すように、リール本体１の左側部に配置されモータ３の駆動をオン、オフするスイッチである。第１スイッチ操作部４及び第２スイッチ操作部５は、図１に示すように、それぞれリール本体１の左右側部の対称となる位置に配置されている。リール本体１は、全体を片手で把持可能な大きさとなるように形成されている。第１スイッチ操作部４及び第２スイッチ操作部５は、それぞれ親指または人差し指で操作可能なリール本体の左右側部に配置されている。具体的には、左手で操作する場合には、第１スイッチ操作部４を親指で操作可能であり、第２スイッチ操作部５を人差し指で操作可能である。また、右手で操作する場合には、第１スイッチ操作部４を人差し指で操作可能であり、第２スイッチ操作部５を親指で操作可能である。このような第１スイッチ操作部４及び第２スイッチ操作部５には、モータ３の駆動をさせるスイッチモードとして、寸動スイッチモードと連続スイッチモードとの２つのスイッチモードが割り当てられている。具体的には、寸動スイッチモードは、第１スイッチ操作部４又は第２スイッチ操作部５がオン操作されているときのみモータ３を回転させ、第１スイッチ操作部４又は第２スイッチ操作部５がオン操作されていないときモータ３を停止させるスイッチモードである。また、連続スイッチモードは、第１スイッチ操作部４又は第２スイッチ操作部５が１回オン操作されたときにモータ３を回転させ、第１スイッチ操作部４又は第２スイッチ操作部５が再度１回オン操作されたときにモータ３を停止させるスイッチモードである。そして、第３スイッチ操作部７及び第４スイッチ操作部８を同時押しすることによって、リール本体１右側部に配置された第１スイッチ操作部４及びリール本体１左側部に配置された第２スイッチ操作部５に割り振られた寸動スイッチモード及び連続スイッチモードを逆に切り換えるようになっている。このようなスイッチモードの切り換えは、後述するリール制御部３０（図１０参照）が第３スイッチ操作部７及び第４スイッチ操作部８を同時押しを検出すると、リール制御部３０が第１スイッチ操作部４及び第２スイッチ操作部５に寸動スイッチモード又は連続スイッチモードの機能を割り当てる制御を行うことによって、スイッチモードを切り換えている。
【００３３】
表示部６は、図１に示すように、リール本体１の上面に配置され、各種の情報を表示するセグメント方式の液晶ディスプレイであって、クラッチ操作部９と第３スイッチ操作部７及び第４スイッチ操作部８との間に配置されている。表示部６は、図８及び図９に拡大して示すように、上部に配置され仕掛けの水深を表示する水深表示部６ａと、水深表示部６ａの下部左側に配置されバッテリの残量を表示するバッテリ残量表示部６ｂと、水深表示部６ａの下部中央に配置され第１スイッチ操作部４が寸動スイッチモードであるときＲの図形（図８参照）を表示し、第２スイッチ操作部５が寸動スイッチモードであるときＬの図形（図９参照）を表示して第１スイッチ操作部４及び第２スイッチ操作部５の状態を表示するスイッチ操作部状態表示部６ｃと、水深表示部６ａの下部右側に配置されスプール２の回転速度を表示する速度表示部６ｄとを有している。ここでは、図８に示すように、スイッチ操作部状態表示部６ｃにＲの図形が表示されているときは、第１スイッチ操作部４が寸動スイッチモードであり、第２スイッチ操作部５が連続スイッチモードであることを示している。また、図９に示すように、スイッチ操作部状態表示部６ｃにＬの図形が表示されているときは、第２スイッチ操作部５が寸動スイッチモードであり、第１スイッチ操作部４が連続スイッチモードであることを示している。
【００３４】
第３スイッチ操作部７及び第４スイッチ操作部８は、図１に示すように、リール本体１の上面に配置されスイッチモード等の切り換え設定を行うスイッチである。第３スイッチ操作部７及び第４スイッチ操作部８は、表示部の後部に配置され、右側に第３スイッチ操作部７が位置し、左側に第４スイッチ操作部８が位置するように並べて配置されている。ここでは、第３スイッチ操作部７及び第４スイッチ操作部８を同時押しすることによって、リール本体１右側部に配置された第１スイッチ操作部４及びリール本体１左側部に配置された第２スイッチ操作部５に割り振られた寸動スイッチモード及び連続スイッチモードを逆に切り換える。
【００３５】
リール本体１の内部には、ＣＰＵ、ＲＡＭ、ＲＯＭ、Ｉ／Ｏインターフェイス等を含むマイクロコンピュータを含むリール制御部３０（図１０参照）が配置されている。リール制御部３０は、図１０に示すように、第１スイッチ操作部４、第２スイッチ操作部５、第３スイッチ操作部７及び第４スイッチ操作部８の各種のスイッチ操作部と、スプール２の回転方向及び回転数（回転位置データ）を検出するためのスプールセンサ４１及びスプールカウンタ４２と、モータ３に流れる電流値を検出する電流値検出部４４と、制御プログラムに従ってモータ３の駆動制御を行うモータ制御部３１と、表示部６の表示制御を行う表示制御部３２と、各種のデータを記憶する記憶部４３と、他の入出力部とが接続されている。スプールセンサ４１は、前後に並べて配置された２つのリードスイッチから構成されている。リードスイッチは、スプール２に装着された２個のマグネット２６を検出する。この検出パルスをスプールカウンタ４２で計数することでスプール２の回転数を検出できる。また、いずれのリードスイッチが先に検出パルスを発したかによりスプール２の回転方向を検出できる。スプールカウンタ４２は、スプールセンサ４１のオンオフ回数を計数するカウンタであり、この計数値によりスプール回転数に関する回転位置データが得られる。スプールカウンタ４２は、スプール２が正転（糸繰り出し方向の回転）すると計数値が減少し、逆転すると増加する。記憶部４３はたとえばＥＥＰＲＯＭ等の不揮発メモリからなり、学習結果のデータや糸長算出時に使用する各種のデータ等が記憶されている。電流値検出部４４は、モータ３に流れる電流値を検出する電流計測センサである。モータ制御部３１は、スプール２の回転数に応じた所定の位置（たとえば仕掛けＨが釣竿Ｒの先端部位置、すなわち船縁位置）自動的にモータ３の駆動を停止して釣り糸Ｌの巻き取りを停止させる船縁停止機能を実現させている。具体的には、モータ制御部３１は、スプールカウンタ４２により検出されたスプール２の回転数が予め設定されたモータ３の駆動を停止させるスプール２の回転数から所定の範囲（たとえば船縁停止位置から所定の距離）内にあるとき、電流値検出部４４により検出されたモータ３に流れる電流に応じて、モータ３の駆動を停止する制御を行う。ここでは、予め設定された船縁停止位置の所定の範囲内にあるとき、たとえばモータ３に大きな電流が流れたとき、すなわち、モータ３に大きな負荷が生じたときにモータ３の駆動を停止させることができるので、ストッパＳがストッパガイド１０に強く引き込まれてストッパＳ及びストッパガイド１０が破損するのを防止できる。
【００３６】
この電動リールでは、ストッパガイド１０は、電動リール及び釣竿Ｒに対して着脱自在に装着されているので、従来のようにストッパガイド１０が釣竿Ｒやリール本体１に固定されていない。このため、ストッパガイド１０が邪魔に感じる釣人はストッパガイド１０を取り外すことができ、あるいは、ストッパガイド１０がないことを不安に感じる釣人はストッパガイド１０を装着することができる。
【００３７】
〔他の実施形態〕
（ａ）  前記実施形態では、ワカサギ等の小魚を釣るときに使用される小型の電動リールを例にあげたが、電動リールの大きさや形状はこれに限定されるものではない。また、釣竿Ｒは、比較的短い長さの弾力性のあるティップであったが、釣竿Ｒの長さや形状はこれに限定されるものではない。
【００３８】
（ｂ）  前記実施形態では、ストッパＳは、略球状のビーズであったが、ストッパガイド１０の接触孔部１０ａの孔部より大径の部材であれば、これに限定されるものではない。また、ストッパＳは、ストッパガイド１０の接触孔部１０ａの孔部より大径の部材であれば、複数のガイドリングＧの孔部より小径の部材であってもよく、ストッパＳが複数のガイドリングＧを挿通する構成であってもよい。
【００３９】
（ｃ）  前記実施形態では、ストッパＳは、ストッパガイド１０と最も後側のガイドリングＧとの間を前後に移動可能であったが、釣り糸Ｌに対して移動不能に固定してもよい。また、ストッパＳに代えて、結び目Ｋや仕掛けＨが、複数のガイドリングＧを挿通し、かつ、ストッパガイド１０の接触孔部１０ａの孔部より大径の部材であれば、結び目Ｋや仕掛けＨをストッパＳとして機能させることも可能である。
【００４０】
（ｄ）  前記実施形態では、ストッパガイド１０は、１本の金属製の線材部材を折り曲げて、接触孔部１０ａ、第１連結部１０ｂ、第２連結部１０ｃ、第１装着部１０ｄ及び第２装着部１０ｅを一体成形していたが、材質、製造方法等はこれに限定されるものではない。また、第２連結部１０ｃ及び第２装着部１０ｅを設けないで、第１装着部１０ｄのみを釣竿装着部１ａの外周部に装着する構成にしてもよい。
【００４１】
（ｅ）  前記実施形態では、ストッパガイド１０は、第１装着部１０ｄが膨出部１ｃの第１溝部１ｄに装着されていたが、たとえば釣竿装着部１ａの外周部に形成された環状の溝部に第１装着部１０ｄを設ける構成にしてもよい。また、ストッパガイド１０は、第１連結部１０ｂが第１突出部１ｅと第２突出部１ｆとの間の第２溝部１ｇに挿通されていたが、たとえば第１突出部１ｅや第２突出部１ｆを設けない構成にしてもよい。
【符号の説明】
【００４２】
１  リール本体
１ａ  釣竿装着部
１ｂ  スプール収納凹部
１ｃ  膨出部
１ｄ  第１溝部
１ｅ  第１突出部
１ｆ  第２突出部
１ｇ  第２溝部
１ｈ  壁部
２  スプール
２ａ  糸巻胴部
２ｂ  第１フランジ部
２ｃ  第２フランジ部
２ｄ  装着溝
２ｅ  貫通孔
２ｆ  凹み部
３  モータ
３ａ  係合溝
４  第１スイッチ操作部
５  第２スイッチ操作部
６  表示部
６ａ  水深表示部
６ｂ  バッテリ残量表示部
６ｃ  スイッチ操作部状態表示部
６ｄ  速度表示部
７  第３スイッチ操作部
８  第４スイッチ操作部
９  クラッチ操作部
１０  ストッパガイド
１０ａ  接触孔部
１０ｂ  第１連結部
１０ｃ  第２連結部
１０ｄ  第１装着部
１０ｅ  第２装着部
１１  スプール軸
１１ａ  ねじ部
２０  釣糸係止部
２０ａ  本体部
２０ｂ  基端部
２０ｃ  先端部
２１  第１軸受部材
２２  第２軸受部材
２３  カラー部材
２４  ナット部材
２４ａ  ねじ孔
２４ｂ  貫通孔
２４ｃ  内フランジ部
２５  Ｏリング
２６  マグネット
３０  リール制御部
３１  モータ制御部
３２  表示制御部
４０  モータホルダ
４０ａ  係合突起
４１  スプールセンサ
４２  スプールカウンタ
４３  記憶部
４４  電流値検出部
Ｇ  ガイドリング
Ｈ  仕掛け
Ｋ  結び目
Ｌ  釣り糸
Ｍ  道糸
Ｒ  釣竿
Ｓ  ストッパ
【図１】
0005748438.tif 000002
【図２】
0005748438.tif 000003
【図３】
0005748438.tif 000004
【図４】
0005748438.tif 000005
【図５】
0005748438.tif 000006
【図６】
0005748438.tif 000007
【図７】
0005748438.tif 000008
【図８】
0005748438.tif 000009
【図９】
0005748438.tif 000010
【図１０】
0005748438.tif 000011
【図１１】
0005748438.tif 000012
【図１２】
0005748438.tif 000013
【図１３】
0005748438.tif 000014
【図１４】
0005748438.tif 000015
【図１５】
0005748438.tif 000016
【図１６】
0005748438.tif 000017
【図１７】
0005748438.tif 000018